(57)【要約】【課題】  簡単な構造により簡単に施工することができ、しかも通気性に優れ、また耐震性等といった強度面でも優れている塀構造を得る。【解決手段】  水平断面がコ字状をなす複数枚の塀パネル１１，２１を用いる。これらの塀パネルを、水平方向に間隔をおいて配列させて構成する。そのうち、少なくとも１枚の塀パネル１１を、建物の外壁面にコ字状の開口を向けた状態で建物２の外壁面３と間隔をおいて対向させて設ける。さらに、建物の外壁面にコ字状の開口を向けた塀パネルと建物の外壁面との間に、建物の反外壁面側にコ字状の開口を向けた塀パネル２１を、端部同士が建物の外壁面に直交する方向において間隔をおいて重なり合う状態で設ける。【選択図】        図３
2009243200.tif 000002
【特許請求の範囲】
【請求項１】
水平断面がコ字状をなす塀パネルを用いた塀構造であって、
複数枚の塀パネルを、水平方向に間隔をおいて配列させて構成するとともに、
少なくとも１枚の塀パネルを、建物の外壁面にコ字状の開口を向けた状態で建物の外壁面と間隔をおいて対向させたことを特徴とする塀構造。
【請求項２】
請求項１記載の塀構造において、
すべての塀パネルを、建物の外壁面にコ字状の開口を向けた状態で建物の外壁面と間隔をおいて対向させ、建物の外壁面に沿って間隔をおいて配列させたことを特徴とする塀構造。
【請求項３】
請求項１記載の塀構造において、
建物の外壁面にコ字状の開口を向けた塀パネルと建物の外壁面との間に、建物の反外壁面側にコ字状の開口を向けた塀パネルを、端部同士が建物の外壁面に直交する方向において間隔をおいて重なり合う状態で設けたことを特徴とする塀構造。
【請求項４】
請求項１、請求項２または請求項３記載の塀構造において、
いずれの塀パネルも反外壁面側に化粧材が設けられていることを特徴とする塀構造。
【発明の詳細な説明】
【技術分野】
【０００１】
本発明は、たとえば敷地と道路との道路境界線を区画するために、あるいは建物の外壁部を取り囲むようにして設けられる塀構造に関する。
【背景技術】
【０００２】
従来から、建物や敷地を取り囲む塀として、種々の構造をもつものが知られている。すなわち、従来の塀としては、木製のもの、ブロック積みによるもの、コンクリート製のもの等を始め、種々の構造が知られているが、いずれも組み立て作業が面倒かつ煩雑であり、しかも運搬性、施工性、コストなどの面で問題をもつものであった。
【０００３】
このため、たとえば運搬可能な単位で塀パネルを工場などで形成し、施工現場に運搬して組み立てることで簡単に施工できるようにした構造のものも提案されている（例えば、特許文献１参照）。
【０００４】
【特許文献１】特開２００４−１９７５２９号公報
【発明の開示】
【発明が解決しようとする課題】
【０００５】
しかし、上述した特許文献１による従来の塀でも、塀パネルを施工現場に運搬してから、各塀パネルを組み立てて、所要の形状をもつ塀ユニットとして形成する必要があり、組み立て作業が面倒かつ煩雑であるばかりでなく、施工性等の面でも問題であった。
【０００６】
特に、この種の塀として、近年望まれていることは、塀として形成されるも、通気性などを備え、しかも耐震性等といった強度面でも優れていることであり、これらの点に配慮した何らかの対策を講じることである。
【０００７】
本発明はこのような事情に鑑みてなされたものであり、簡単な構造により簡単に施工することができ、しかも通気性に優れ、また強度的にも優れている塀構造を得ることを目的とする。
【課題を解決するための手段】
【０００８】
このような目的に応えるために本発明（請求項１記載の発明）に係る塀構造は、水平断面がコ字状をなす塀パネルを用いた塀構造であって、複数枚の塀パネルを、水平方向に間隔をおいて配列させて構成するとともに、少なくとも１枚の塀パネルを、建物の外壁面にコ字状の開口を向けた状態で建物の外壁面と間隔をおいて対向させたことを特徴とする。
【０００９】
ここで、「水平方向」とは、建物の外壁面に平行する方向と建物の外壁面に垂直な方向のいずれをも含むものである。
【００１０】
本発明（請求項２記載の発明）に係る塀構造は、請求項１において、すべての塀パネルを、建物の外壁面にコ字状の開口を向けた状態で建物の外壁面と間隔をおいて対向させ、建物の外壁面に沿って間隔をおいて配列させたことを特徴とする。
【００１１】
本発明（請求項３記載の発明）に係る塀構造は、請求項１において、建物の外壁面にコ字状の開口を向けた塀パネルと建物の外壁面との間に、建物の反外壁面側にコ字状の開口を向けた塀パネルを、端部同士が建物の外壁面に直交する方向において間隔をおいて重なり合う状態で設けたことを特徴とする。
【００１２】
本発明（請求項４記載の発明）に係る塀構造は、請求項１、請求項２または請求項３において、いずれの塀パネルも反外壁面側に化粧材が設けられていることを特徴とする。
【発明の効果】
【００１３】
以上説明したように本発明に係る塀構造によれば、水平断面がコ字状を呈する複数枚の塀パネルを、水平方向に間隔をおいて配列させることにより建物の外壁面に所定間隔をおいて対設する塀を構成しているので、簡単な構成であるにもかかわらず、以下に列挙する種々優れた効果がある。
【００１４】
１、通気性のある塀を、簡単に施工することができる。
【００１５】
２、塀パネルとして木質パネルを用いることにより、塀パネルの軽量化を図り、しかも地震等で倒れにくい塀を得ることができる。
【００１６】
３、建物の外壁面等の外装との一体感（たとえば外装と同一のサイディング張り）のある塀を得ることができる。
【００１７】
４、部品化と組み合わせシステムで、どんな敷地にも対応可能とすることができる。
【００１８】
５、塀パネル相互に隙間を形成し、風の通路を作り、通気性を発揮させる。
【００１９】
６、塀を形成することで出来たスペースに、ガスメータや電気メータを設置することにより、塀のスペースを有効に利用することができる。
【発明を実施するための最良の形態】
【００２０】
図１ないし図４は本発明に係る塀構造の一実施形態を示す。
これらの図において、符号１で示す塀は、たとえば図２、図３に示すように、建物２の外壁面３を所定間隔をおいて取り囲むように立設して設けられている。なお、図２中４は道路、５は道路４と敷地との道路境界線であり、ここでは、この道路４と敷地内とを仕切るように道路境界線５に沿って塀１を設けた場合を示している。
【００２１】
この実施形態では、図１（ａ），（ｂ）に示すような水平断面がコ字状をなす塀パネル１１，２１を用いた塀構造であって、複数枚の塀パネル１１，２１を、図２、図３に示すように、水平方向、すなわち建物２の外壁面３に平行する方向、並びに建物２の外壁面３に直交する方向に間隔をおいて配列させることにより、塀１を構成するようにしている。
【００２２】
ここで、複数枚（ここでは３枚）の塀パネル１１，２１のうちの数枚（ここでは２枚）の塀パネル１１を、建物２の外壁面３にコ字状の開口を向けた状態で建物２の外壁面３と間隔をおいて対向させるように配列させて設けている。これらの塀パネル１１，１１は、建物２の外壁面３に平行する方向において互いに間隔をおいて配列されることになる。そして、これにより第１の塀パネル列１０が構成される。
【００２３】
また、この第１の塀パネル列１０を構成する塀パネル１１と建物２の外壁面３との間に、建物２の反外壁面３側にコ字状の開口を向けた塀パネル２１を、端部同士が建物２の外壁面３に直交する方向において間隔をおいて重なり合う状態で設けている。したがって、この塀パネル２１は、第１の塀パネル列１０の隣接する塀パネル１１，１１間に跨った状態となる位置に配置されることになる。そして、これにより第２の塀パネル列２０が構成される。
【００２４】
このような構成によれば、第１の塀パネル列１０と第２の塀パネル列２０を構成する塀パネル１１，２１間に隙間をもち、通気性を発揮し得る塀構造を得ることができる。そして、このようにすれば、互いに逆向きのコ字状を呈する塀パネル１１，２１の組み合わせで塀１が形成されることから、施工がきわめて簡単に行えるものであり、また耐震性等の強度面でも充分な塀構造を得ることができる。
【００２５】
また、塀１を構成する塀パネル１１，２１の軽量化を図ることができる。すなわち、このような塀パネル１１，２１は、図１（ａ），（ｂ）に示すように、面材と端材、さらに格子材等を組み合わせることにより、薄板パネル形状に形成された複数のパネル片を適宜連結することにより構成している。
このようにすれば、全体としてコ字状を呈するパネル形状をもつ塀パネル１１，２１を、簡単かつ適切に形成でき、しかも全体の重量も軽量化することができ、コスト的にも安価に構成できるのである。
【００２６】
また、図２、図３から明らかなように，第１、第２のパネル列１０，２０からなる塀１では、その形成位置にスペースが形成されるものであり、これを利用してガスメータや電気メータ、その他の適宜の部品を配設することができ、スペースの有効活用を図ることができる。
【００２７】
なお、この実施形態では、各列の塀パネル１１，２１を互いに跨った状態で並設した場合を説明したが、これに限らず、各列の塀パネル１１，２１を所定間隔おいて２列に並べておればよく、適宜の配列構造が考えられる。また、各列でのパネル枚数も、それぞれ必要に応じた枚数を適宜選択できることは言うまでもない。
【００２８】
ここで、各塀パネル１１，２１の下端は、塀基礎３０上に立設して設けられるものである。なお、３１は地面、３２は塀基礎３０上に植設されたアンカーボルト、３３はこれに塀パネル１１，２１を締結固定するためのナット、３４は塀基礎３０と塀パネル１１，２１との間に介在させたスペーサである。
このような構成によれば、各塀パネル１１，２１を、強固にしかも簡単かつ確実に塀基礎３０に立設させた状態で固定することができる。
【００２９】
図５は本発明の変形例を示すものであり、同図において上述した実施形態と同一または相当する部分には同一番号を付して詳細な説明は省略する。
この実施形態では、たとえば３枚の塀パネルを配列して塀１を構成する場合に、第１の塀パネル列１０を構成する１枚の塀パネル１１を、建物２の外壁面３にコ字状の開口を向けた状態で建物２の外壁面３と間隔をおいて対向させて配置する。
【００３０】
さらに、この塀パネル１１と建物２の外壁面３との間であって該塀パネル１１とは建物２の外壁面３に平行する方向においてずれた位置に、該塀パネル１１とは別の塀パネル２１，２１を、第２の塀パネル列２０として、コ字状の開口を反外壁面３側に向けて配置し、これらの塀パネル１１；２１，２１同士を、建物２の外壁面３に直交する方向においてそれぞれの側部の一部が、所定の間隔をおいて重なり合う状態で配置している。
【００３１】
このように構成すれば、建物２の外壁面３に臨む部分が、第２の塀パネル列２０を構成する塀パネル２１，２１によって構成されるため、第１の塀パネル列１０を２枚、第２の塀パネル列２０を１枚、配列する場合に比べて外壁面３側に出っ張る部分が少なく、この部分を通路とする場合に人が通り易いといった利点がある。
また、図５中波線５ａで示すように、道路境界線が建物２の外壁面３と平行していない場合において、塀１を構成する塀パネル１１，２１，２１を、道路４にはみ出させずに、敷地内に所要の状態で構築できるという利点がある。
【００３２】
図６は本発明のさらに別の実施形態を示すものであり、同図において前述した実施形態と同一または相当する部分には同一番号を付して説明は省略する。
この実施形態では、塀構造を、前述した実施形態での第１の塀パネル列１０のみの一列とし、各塀パネル１１の間の間隔を、前述した実施形態よりも幅狭にした場合を示す。
【００３３】
すなわち、この実施形態では、すべての塀パネル１１を、建物２の外壁面３にコ字状の開口を向けた状態で建物２の外壁面３と間隔をおいて対向させ、建物２の外壁面３に沿って間隔をおいて配列させている。
【００３４】
このようにすれば、通気性をもち、また塀としての機能も兼ね備えた塀構造を得ることができるのである。さらに、上述した実施形態とほぼ同等の作用効果も備えている。
【００３５】
ここで、上述したように塀１を、第１の塀パネル列１０のみの一列で構成した場合において、各塀パネル１１の間の間隔が、幅広である場合には、図７に示すように、その間隔部分に植栽８等を植えて塀１を構成してもよいことは勿論である。
このようにすれば、塀１を体裁よく構成できるという利点がある。
【００３６】
なお、本発明は上述した実施の形態で説明した構造には限定されず、塀構造を構成する各部の形状、構造等を適宜変形、変更し得ることはいうまでもない。
【００３７】
たとえば上述した実施形態では明示していないが、塀パネル１１，２１の外面（たとえば塀パネルの反外壁面側）に、適宜の材料や模様等をもつ化粧材を設けるように構成してもよい。
このようにすれば、たとえば建物２の外壁面３等との調和を取れるようなものとすることができる。
【００３８】
また、上述した塀パネル１１，２１としては、面材、端版や格子材等といった各構成部材を、従来から周知である木質系樹脂材等を用いて形成した木質パネルとするとよい。このようにすれば、塀全体を体裁のよいものとすることができる。
【００３９】
さらに、上述した実施形態では、塀パネル１１，２１の配列間隔について明示はしなかったが、これらの間隔は、幅を狭くしても広くしてもよく、適宜設定することは自由である。要は、塀としての機能が得られるものであればよいものである。
【図面の簡単な説明】
【００４０】
【図１】本発明に係る塀構造の一実施形態を示し、（ａ），（ｂ）は塀構造を構成する塀パネルの平面図およびその側断面図である。
【図２】図１の塀パネルを用いてなる塀構造の一実施形態を示す平面方向から見た概略構成図である。
【図３】図２の塀構造の概略斜視図である。
【図４】本発明に係る塀構造において塀パネルを立設させた場合の概略断面図である。
【図５】本発明に係る塀構造の変形例を示す平面方向から見た概略構成図である。
【図６】本発明に係る塀構造のさらに別の実施形態を示す平面方向から見た概略構成図である。
【図７】本発明に係る塀構造のさらに別の変形例を示す平面方向から見た概略構成図である。
【符号の説明】
【００４１】
１…塀、２…建物、３…外壁面、４…道路、５…道路境界線、８…植栽、１０…第１の塀パネル列、１１…塀パネル、２０…第２の塀パネル列、２１…塀パネル、３０…塀基礎、３１…地面、３２…アンカーボルト、３３…ナット、３４…スペーサ。
【図１】
2009243200.tif 000003
【図２】
2009243200.tif 000004
【図３】
2009243200.tif 000005
【図４】
2009243200.tif 000006
【図５】
2009243200.tif 000007
【図６】
2009243200.tif 000008
【図７】
2009243200.tif 000009